(57)【特許請求の範囲】
【請求項１】
複数の表示要素の点灯／消灯状態の組み合わせで１文字を固定された位置で表す文字セグメントの一群が設けられた表示部と、
前記文字セグメントの一群によって表示される文字列の天地方向を切り替える天地方向切替手段と、
この天地方向切替手段に対して前記天地方向の切り替えを指示する天地方向切替指示手段と、
前記表示部を開閉可能に覆う蓋と、
前記表示部に対する前記蓋の開閉方向を検知する蓋開閉方向検知手段とを備え、
前記天地方向切替指示手段は、
前記蓋開閉方向検知手段による前記蓋の開閉方向の検知結果に基づいて前記天地方向切替手段に対する前記天地方向の切り替えを指示する
ことを特徴とする表示装置。
【請求項２】
請求項１に記載された表示装置において、
前記表示部は、
前記天地方向切替手段に対する天地方向の切り替え指示に連動してその表示／非表示が相互に切り替えられる第１および第２の文字パターン
を備えることを特徴とする表示装置。
【発明の詳細な説明】
【技術分野】
【０００１】
この発明は、複数の表示要素の点灯／消灯状態の組み合わせで１文字を固定された位置で表す７セグメントなどの文字セグメントを用いた表示装置に関するものである。
【背景技術】
【０００２】
従来より、計測対象の１つ又は複数の物理量を計測し、計測した物理量を表示部に計測値として表示する計器がある。この計器は、計測対象物に直接あるいはその近傍に設置される場合が多い。
【０００３】
例えば、プラントに配置される圧力計，流量計，温度計などのフィールド機器や水道やガスの配管に取り付けられる水道メータやガスメータがある。これらの計器は、設置される現場の環境によっては、計器の表示を確認する作業者の作業空間が狭くて、計測値の表示を読み取りにくい場合がある。すなわち、表示部での計測値の表示方向が固定であるため、計測値の天地方向を逆さまにして読み取らなければならないような場合がある。
【０００４】
そこで、計器の表示を容易に確認できるように考慮された表示部を有する計器として、特許文献１に示された計器用ＬＣＤ表示装置が提案されている。この特許文献１に示された計器用ＬＣＤ表示装置では、表示部をドットマトリックス方式の液晶表示部（ＬＣＤ）とし、押しボタンスイッチを１回押す毎に、液晶表示部での文字列の表示方向を９０゜ずつ変更できるようにしている。これにより、操作者は、図１５に示すように、液晶表示部での文字列の表示方向を４通りに変更することができ（０゜、９０゜、１８０゜、２７０゜）、自分の読み取り易い表示方向を選択することができる。
【０００５】
【特許文献１】特開２００７−１０１８２５号公報
【特許文献２】特開平６−１２９６５０号公報
【発明の開示】
【発明が解決しようとする課題】
【０００６】
しかしながら、ドットマトリックス方式のＬＣＤは消費電力が大きく、電池動作式の計器（例えば、水道メータ、ガスメータなど）にドットマトリックス方式のＬＣＤを用いると、電池の寿命が短くなり、電池交換の機会が増加する。
【０００７】
本発明は、このような課題を解決するためになされたもので、その目的とするところは、表示部での文字列の表示方向を変更することができる低消費電力の表示装置を提供することにある。
【課題を解決するための手段】
【０００８】
このような目的を達成するために、本発明に係る表示装置は、複数の表示要素の点灯／消灯状態の組み合わせで１文字を固定された位置で表す文字セグメントの一群が設けられた表示部と、文字セグメントの一群によって表示される文字列の天地方向を切り替える天地方向切替手段と、この天地方向切替手段に対して天地方向の切り替えを指示する天地方向切替指示手段と、表示部を開閉可能に覆う蓋と、表示部に対する蓋の開閉方向を検知する蓋開閉方向検知手段とを備え、天地方向切替指示手段は、蓋開閉方向検知手段による蓋の開閉方向の検知結果に基づいて天地方向切替手段に対する天地方向の切り替えを指示することを特徴とする。
【０００９】
本発明において、表示部には、文字セグメントの一群として、例えば７つの表示要素（セグメント）の点灯／消灯状態の組み合わせで１文字（０〜９の数字）を表す７セグメントの一群を設ける。７セグメントは、８の字状に配置されたセグメントの点灯／消灯状態の組合せで、天地方向を逆としても１文字を表すことができる。なお、文字セグメントの一群としては、７セグメントの一群の他、アルファベットの文字を表示することが可能な１６セグメントの一群なども考えられる。
【００１１】
本発明において、天地方向切替手段は、天地方向切替指示手段から天地方向の切り替えが指示されると、文字セグメントの一群によって表示される文字列の天地方向を切り替える。例えば、文字セグメントの一群を７セグメントの一群とした場合、各７セグメントの表示要素である８の字状のセグメントの点灯／消灯状態の組合せを変えることによって、７セグメント群によって表示される文字列の天地方向を切り替える。すなわち、文字列の表示方向を切り替え、正方向表示としたり、逆方向表示としたりする。
【００１２】
本発明において、表示部は、液晶表示部（ＬＣＤ）の他、発光ダイオード（ＬＥＤ）、冷陰極放電灯、蛍光表示管、白熱フィラメントなどを用いた表示部としてもよい。本発明では、表示部をセグメント方式の表示部とし、このセグメント方式の表示部において文字列の表示方向を切り替えるので、マトリックス方式の表示部と比較して低消費電力とすることができる。また、表示部に設ける文字セグメントの一群は、文字列の表示方向によらず、共通して使用することができる。
【００１３】
本発明において、表示部には、天地方向の切り替え指示に連動してその表示／非表示が相互に切り替えられる第１および第２の文字パターンを設けるようにしてもよい。例えば、バッテリの交換時期を絵文字で示すバッテリアラームを正方向用と逆方向用の２パターン設け、文字列の表示方向を正方向とする場合には正方向用のバッテリアラームを表示し、逆方向用のバッテリアラームを非表示とする。文字列の表示方向を逆方向とする場合には、逆方向用のバッテリアラームを表示し、正方向用のバッテリアラームを非表示とする。
【００１４】
なお、第１および第２の文字パターンを設ける場合、この第１および第２の文字パターンは、絵文字に限らず、計測値の単位を示す文字（ｍ3、ｍ3／ｈ、Ｌ／ｓ、℃、％など）などであってもよい。また、バッテリアラームなどの絵文字や計測値の単位などの文字の組合せを１つの文字パターンとし、これらの文字の組合せを一括して表示／非表示とするようにしてもよい。
【００１５】
本発明では、表示部に対し、この表示部を開閉可能に覆う蓋を設け、この表示部に対する蓋の開閉方向を検知し、この蓋の開閉方向の検知結果に基づいて天地方向切替手段に対する天地方向の切り替えを指示するようにする。例えば、表示部に対して蓋を回転可能に設け、この蓋の回転位置（天地方向の位置）を蓋に設けたマグネットと表示部の天地方向に設けた２つのリードスイッチで検知するようにし、蓋が表示部の天方向の位置（表示部の天方向側に開く位置）にある場合には（天方向のリードスイッチがオン、地方向のリードスイッチがオフ）、文字列の表示方向を正方向とし、蓋が表示部の地方向の位置（表示部の地方向側に開く位置）にある場合には（天方向のリードスイッチがオフ、地方向のリードスイッチがオン）、文字列の表示方向を逆方向とする。また、文字列の表示方向を正方向とする場合には第１の文字パターン（例えば、正方向用のバッテリアラーム）を表示し、文字列の表示方向を逆方向とする場合には、第２の文字パターン（逆方向用のバッテリアラーム）を表示する。
【発明の効果】
【００１６】
本発明によれば、複数の表示要素の点灯／消灯状態の組み合わせで１文字を固定された位置で表す文字セグメントの一群を表示部に設け、表示部に対する蓋の開閉方向を検知する蓋開閉方向検知手段を設け、この蓋開閉方向検知手段による蓋の開閉方向の検知結果に基づいて文字セグメントの一群によって表示される文字列の天地方向を切り替えるようにしたので、蓋を回転させることによって、表示部における文字列の天地方向を切り替えることが可能となり、マトリックス方式の表示部と比較して低消費電力とし、電池の寿命を長くすることができるようになる。また、本発明において、表示部に設ける文字セグメントの一群は、文字列の表示方向によらず、共通して使用することができるので、表示部の大型化が避けられ、低コストともなる。
【発明を実施するための最良の形態】
【００１７】
以下、本発明を図面に基づいて詳細に説明する。
〔参考例：蓋なしタイプ〕
図１はこの発明に係る表示装置の一実施の形態の説明に入る前の参考例を示す正面図である。この表示装置１００は電磁流量計に搭載されている。同図において、１は電磁流量計のケース、２はケース１の上面に露出して設けられた液晶表示部（ＬＣＤ）である。
【００１８】
液晶表示部２には、８の字状に配置された７つのセグメントｓｇ１〜ｓｇ７の点灯／消灯状態の組合せで１文字（０〜９の数字）を表示する７セグメントＳＧ１，ＳＧ２，ＳＧ３が文字セグメントの一群（７セグメント群）ＭＳＧとして設けられている。この７セグメント群ＭＳＧに電磁流量計の計測値（流量）が文字列として表示される。
【００１９】
また、液晶表示部２には、計測値の単位を示す文字パターンとして、第１の文字パターンＭＰ１と第２の文字パターンＭＰ２が設けられている。この例において、文字パターンＭＰ１およびＭＰ２は、「ｍ」と「３」の２つのセグメントで構成される文字列「ｍ3」とされている。
【００２０】
また、この例において、文字パターンＭＰ１およびＭＰ２は、その文字列「ｍ3」の天地方向が逆とされた倒置パターンとされている。すなわち、矢印Ａ方向を液晶表示部２の天方向、矢印Ｂ方向を液晶表示部２の地方向とした場合、液晶表示部２の天方向をその文字列「ｍ3」の表示方向（正方向表示）として第１の文字パターンＭＰ１が設けられ、液晶表示部２の地方向をその文字列「ｍ3」の表示方向（逆方向表示）として第２の文字パターンＭＰ２が設けられている。以下、文字パターンＭＰ１，ＭＰ２を単位文字パターンと呼ぶ。
【００２１】
また、この例において、液晶表示部２の天方向側には、第１の押しボタンスイッチ（以下、第１のスイッチと呼ぶ）ＳＷ１が設けられ、液晶表示部２の地方向側には、第２の押しボタンスイッチ（以下、第２のスイッチと呼ぶ）ＳＷ２が設けられている。第１のスイッチＳＷ１と第２のスイッチＳＷ２は、相互にインターロックが掛けられ、同時にオンとなることはない。また、第１のスイッチＳＷ１および第２のスイッチＳＷ２は、押されたときだけ数秒間オンとなる。
【００２２】
なお、第１のスイッチＳＷ１および第２のスイッチＳＷ２は、押しボタンスイッチに限られるものではなく、例えば操作者の指が触れられた場合にそれを感知してオンとなる赤外線センサとしたり、操作者が持つ携帯タイプの磁石の近接を感知してオンとなるリードスイッチとしたりするなどしてもよい。
【００２３】
図２はこの表示装置１００を搭載した電磁流量計２００の要部を示すブロック図である。電磁流量計２００において、表示装置１００には、液晶表示部２における表示をトータル的に制御する制御部３が設けられている。この制御部３は、プロセッサや記憶装置からなるハードウェアと、これらのハードウェアと協働して表示装置としての各種機能を実現させるプログラムとによって実現され、表示制御部３−１と天地方向判断部３−２を備えている。
【００２４】
以下、図３に示すフローチャートを参照しながら、制御部３における表示制御部３−１と天地方向判断部３−２が有する機能について説明する。
【００２５】
〔第１のスイッチがオンとされた場合〕
今、第１のスイッチＳＷ１がオンとされたとする。この場合、天地方向判断部３−２は、第１のスイッチＳＷ１がオンとされたことを確認し（ステップＳ１０１のＹＥＳ）、液晶表示部２の天方向を７セグメント群ＭＳＧでの計測値の表示方向と判断し、表示制御部３−１に対して正方向表示を指示する。
【００２６】
表示制御部３−１は、天地方向判断部３−２からの正方向表示の指示を受けて、７セグメント群ＭＳＧでの計測値の表示を正方向表示とする（ステップＳ１０２）。すなわち、図４（ａ）に示すように、７セグメント群ＭＳＧで表示される計測値の天方向を液晶表示部２の天方向とする。また、液晶表示部２の天方向をその文字列の天方向とする単位文字パターンＭＰ１を表示し、液晶表示部２の地方向をその文字列の天方向とする単位文字パターンＭＰ２を非表示とする（ステップＳ１０３）。
【００２７】
これにより、操作者は、液晶表示部２を地方向側から見たい場合、第１のスイッチＳＷ１をオンとするだけで、計測値をその単位も含めて正しく読み取ることができる。この計測値の表示後、表示制御部３−１は、その時の計測値の表示方向（正方向表示）を前回の表示方向として記憶する（ステップＳ１０４）。
【００２８】
第１のスイッチＳＷ１は、オンとされた後、数秒経つとオフへと戻る。これにより、表示制御部３−１は、第１のスイッチＳＷ１および第２のスイッチＳＷ２のオフを確認し（ステップＳ１０１のＮＯ、ステップＳ１０５のＮＯ）、ステップＳ１０８へ進み、ステップＳ１０４で記憶した前回の表示方向（正方向表示）を読み出し、この読み出した前回の表示方向を今回の表示方向として、液晶表示部３における計測値の表示を続ける。
【００２９】
〔第２のスイッチがオンされた場合〕
次に、第２のスイッチＳＷ２がオンとされたとする。この場合、天地方向判断部３−２は、第２のスイッチＳＷ２がオンとされたことを確認し（ステップＳ１０５のＹＥＳ）、液晶表示部２の地方向を７セグメント群ＭＳＧでの計測値の表示方向と判断し、表示制御部３−１に対して逆方向表示を指示する。
【００３０】
表示制御部３−１は、天地方向判断部３−２からの逆方向表示の指示を受けて、７セグメント群ＭＳＧでの計測値の表示を逆方向表示とする（ステップＳ１０６）。すなわち、図４（ｂ）に示すように、７セグメント群ＭＳＧで表示される計測値の天方向を液晶表示部２の地方向とする。また、液晶表示部２の地方向をその文字列の天方向とする単位文字パターンＭＰ２を表示し、液晶表示部２の天方向をその表示列の天方向とする単位文字パターンＭＰ１を非表示とする（ステップＳ１０７）。
【００３１】
これにより、操作者は、液晶表示部２を天方向側から見たい場合、第２のスイッチＳＷ２をオンとするだけで、計測値をその単位も含めて正しく読み取ることができる。この計測値の表示後、表示制御部３−１は、その時の計測値の表示方向（逆方向表示）を前回の表示方向として記憶する（ステップＳ１０４）。
【００３２】
第２のスイッチＳＷ１は、オンとされた後、数秒経つとオフへと戻る。これにより、表示制御部３−１は、第１のスイッチＳＷ１および第２のスイッチＳＷ２のオフを確認し（ステップＳ１０１のＮＯ、ステップＳ１０５のＮＯ）、ステップＳ１０８へ進み、ステップＳ１０４で記憶した前回の表示方向（逆方向表示）を読み出し、この読み出した前回の表示方向を今回の表示方向として、液晶表示部３における計測値の表示を続ける。
【００３３】
以上の説明から分かるように、この参考例では、セグメント方式の液晶表示部２を用いた表示装置１００において、第１のスイッチＳＷ１や第２のスイッチＳＷ２をオンとすることにより、液晶表示部２における計測値の天地方向を切り替えることができるので、マトリックス方式の液晶表示部と比較して低消費電力とし、電磁流量計２００の電池の寿命を長くすることができる。
【００３４】
また、液晶表示部２に設ける７セグメント群ＭＳＧは、計測値の表示方向によらず、共通して使用することができるので、液晶表示部２の大型化が避けられ、低コストとなる。すなわち、７セグメント群ＭＳＧを天方向用と地方向用の２つ設けることが考えられるが、このようにすると液晶表示部２が大型となり、高コストとなる。これに対し、この参考例では、液晶表示部２に設ける７セグメント群ＭＳＧを天地方向で兼用しているので、液晶表示部２の大型化が避けられ、低コストとなる。
【００３５】
なお、この参考例において、後述する実施の形態のように、液晶表示部２に対して蓋を設け、この蓋の開閉を検知するようにし、蓋が閉じられている場合には液晶表示部２での表示をオフとし、蓋が開かれた場合に液晶表示部２での表示をオンとするようにしてもよい。このようにすることにより、蓋が閉じられている場合には液晶表示部２での表示を非表示とし、さらなる低消費電力化が可能となる。
【００３６】
また、この参考例では、第１のスイッチＳＷ１と第２のスイッチＳＷ２を設けたが、スイッチを１個にし、そのスイッチの押す回数で、液晶表示部２に表示される計測値の表示方向を切り替えるようにしてもよい。
【００３７】
〔実施の形態：蓋ありタイプ〕
図５はこの発明に係る表示装置の実施の形態を示す正面図である。この表示装置１０１には液晶表示部２を開閉可能に覆う蓋４が設けられている。なお、図５において、図１と同一符号は図１を参照して説明した構成要素と同一或いは同等構成要素を示し、その説明は省略する。
【００３８】
この表示装置１０１において、蓋４は、図６（ａ），（ｂ）に示すように、液晶表示部２に対して閉じた状態で、ケース１に対して回転させることができるものとされている。図６（ａ）は蓋４を回転させて液晶表示部２の天方向に位置（以下、この位置を天方向位置と呼ぶ）させた状態を示している。図６（ｂ）は蓋４を回転させて液晶表示部２の地方向に位置（以下、この位置を地方向位置と呼ぶ）させた状態を示している。
【００３９】
蓋４の液晶表示部２側には、ケース１との係合部５に近接して、マグネットＭＧ１が設けられている。ケース１には、液晶表示部２の天方向側に、蓋４が天方向位置に位置した場合にマグネットＭＧ１と対向するリードスイッチＬＳ１が設けられ、液晶表示部２の地方向側に、蓋４が地方向位置に位置した場合にマグネットＭＧ１と対向するリードスイッチＬＳ２が設けられている。
【００４０】
図７はこの表示装置１０１を搭載した電磁流量計２０１の要部を示すブロック図である。電磁流量計２０１において、表示装置１０１には、液晶表示部２における表示をトータル的に制御する制御部３が設けられている。この制御部３は、プロセッサや記憶装置からなるハードウェアと、これらのハードウェアと協働して表示装置としての各種機能を実現させるプログラムとによって実現され、本実施の形態特有の機能ブロックとして、表示制御部３−１と天地方向判断部３−２と蓋開閉判断部３−３を備えている。
【００４１】
以下、図８に示すフローチャートを参照しながら、制御部３における表示制御部３−１と天地方向判断部３−２と蓋開閉判断部３−３が有する機能について説明する。なお、この実施の形態において、表示制御部３−１が本発明でいう天地方向切替手段に相当し、マグネットＭＧ１とリードスイッチＬＳ１，ＬＳ２と天地方向判断部３−２との組合せが本発明でいう蓋開閉方向検知手段および天地方向切替指示手段に相当する。
【００４２】
〔蓋を天方向位置に位置させて開いた場合〕
今、蓋４を閉じた状態で、天方向位置に位置させているものとする（図６（ａ））。この場合、蓋４に設けられているマグネットＭＧ１がリードスイッチＬＳ１に近接し、リードスイッチＬＳ１がオンとなる。リードスイッチＬＳ２は、蓋４に設けられているマグネットＭＧ１が遠ざかることから、オフとなる。
【００４３】
天地方向判断部３−２は、リードスイッチＬＳ１がオン、リードスイッチＬＳ２がオフとされると（ステップＳ２０１のＹＥＳ）、このリードスイッチＬＳ１，ＬＳ２のオン／オフ状態から、液晶表示部２の天方向を７セグメント群ＭＳＧでの計測値の表示方向と判断し（ステップＳ２０２）、表示制御部３−１に対して正方向表示を指示する。
【００４４】
表示制御部３−１は、天地方向判断部３−２からの正方向表示の指示を受けて、この指示された表示方向を記憶する（ステップＳ２０３）。この時、表示制御部３−１は、指示された表示方向での計測値の表示は行わず、液晶表示部２での表示を全て非表示とする（ステップＳ２０４）。
【００４５】
このような状態から、蓋４が開かれると（図９（ａ）参照）、蓋４に設けられているマグネットＭＧ１がリードスイッチＬＳ１から遠ざかり、リードスイッチＬＳ１がオフとなる。この時、蓋開閉判断部３−３は、リードスイッチＬＳ１，ＬＳ２が共にオフとなったことを確認し（ステップＳ２０１のＮＯ）、蓋４が開かれたと判断し、その旨を表示制御部３−１へ知らせる。
【００４６】
表示制御部３−１は、蓋開閉判断部３−３から蓋４が開かれたことが知らされると、ステップＳ２０３で記憶した表示方向（正方向表示）を読み出し（ステップＳ２０５）、７セグメント群ＭＳＧでの計測値の表示を正方向表示とする（ステップＳ２０６）。
【００４７】
すなわち、図９（ａ）に示すように、７セグメント群ＭＳＧで表示される計測値の天方向を液晶表示部２の天方向とする。また、液晶表示部２の天方向をその文字列の天方向とする単位文字パターンＭＰ１を表示し、液晶表示部２の地方向をその文字列の天方向とする単位文字パターンＭＰ２を非表示とする（ステップＳ２０７）。
【００４８】
これにより、操作者は、液晶表示部２を地方向側から見たい場合、蓋４を回転させて天方向位置に位置させ、蓋４を開くだけで、計測値をその単位も含めて正しく読み取ることができる。
【００４９】
この計測値の読み取り後、蓋４を閉じれば、リードスイッチＬＳ１がオンとなるので、ステップＳ２０１のＹＥＳに応じて、ステップＳ２０２，Ｓ２０３，Ｓ２０４の処理へと進み、液晶表示部２での表示は全て非表示に戻る。
【００５０】
〔蓋を地方向位置に位置させて開いた場合〕
次に、蓋４を閉じた状態で回転させ、地方向に位置させたものとする（図６（ｂ））。この場合、蓋４に設けられているマグネットＭＧ１がリードスイッチＬＳ２に近接し、リードスイッチＬＳ２がオンとなる。リードスイッチＬＳ１は、蓋４に設けられているマグネットＭＧ１が遠ざかることから、オフとなる。
【００５１】
天地方向判断部３−２は、リードスイッチＬＳ２がオンとされ、リードスイッチＬＳ１がオフとされると（ステップＳ２０１のＹＥＳ）、このリードスイッチＬＳ１，ＬＳ２のオン／オフ状態から、液晶表示部２の地方向を７セグメント群ＭＳＧでの計測値の表示方向と判断し（ステップＳ２０２）、表示制御部３−１に対して逆方向表示を指示する。
【００５２】
表示制御部３−１は、天地方向判断部３−２からの逆方向表示の指示を受けて、この指示された表示方向を記憶する（ステップＳ２０３）。この時、表示制御部３−１は、指示された表示方向での計測値の表示は行わず、液晶表示部２での表示を全て非表示とする（ステップＳ２０４）。
【００５３】
このような状態から、蓋４が開かれると（図９（ｂ）参照）、蓋４に設けられているマグネットＭＧ１がリードスイッチＬＳ２から遠ざかり、リードスイッチＬＳ２がオフとなる。この時、蓋開閉判断部３−３は、リードスイッチＬＳ１，ＬＳ２が共にオフとなったことを確認し（ステップＳ２０１のＮＯ）、蓋４が開かれたと判断し、その旨を表示制御部３−１へ知らせる。
【００５４】
表示制御部３−１は、蓋開閉判断部３−３から蓋４が開かれたことが知らされると、ステップＳ２０３で記憶した表示方向（逆方向表示）を読み出し（ステップＳ２０５）、７セグメント群ＭＳＧでの計測値の表示を逆方向表示とする（ステップＳ２０８）。
【００５５】
すなわち、図９（ｂ）に示すように、７セグメント群ＭＳＧでの表示される計測値の天方向を液晶表示部２の地方向とする。また、液晶表示部２の地方向をその文字列の天方向とする単位文字パターンＭＰ２を表示し、液晶表示部２の天方向をその文字列の天方向とする単位文字パターンＭＰ１を非表示とする（ステップＳ２０９）。
【００５６】
これにより、操作者は、液晶表示部２を天方向側から見たい場合、蓋４を回転させて地方向位置に位置させ、蓋４を開くだけで、計測値をその単位も含めて正しく読み取ることができる。
【００５７】
この計測値の読み取り後、蓋４を閉じれば、リードスイッチＬＳ２がオンとなるので、ステップＳ２０１のＹＥＳに応じて、ステップＳ２０２，Ｓ２０３，Ｓ２０４の処理へと進み、液晶表示部２での表示は全て非表示に戻る。
【００５８】
以上の説明から分かるように、この実施の形態では、セグメント方式の液晶表示部２を用いた表示装置１０１において、蓋４を回すことにより、液晶表示部２における計測値の天地方向を切り替えることができるので、マトリックス方式の液晶表示部と比較して低消費電力とすることができ、電磁流量計２０１の電池の寿命を長くすることができるようになる。また、液晶表示部２に設ける７セグメント群ＭＳＧは、表示方向によらず、共通して使用することができるので、液晶表示部２の大型化が避けられ、低コストとなる。
【００５９】
なお、この実施の形態では、蓋４が閉じられている場合、液晶表示部２での表示を全て非表示としたが、必ずしも非表示としなくてもよい。すなわち、蓋４が閉じられている場合であっても、液晶表示部２での表示を続けるようにしてもよい。
【００６０】
また、この実施の形態では、蓋４の回転と開閉をマグネットＭＧ１とリードスイッチＬＳ１，ＬＳ２との組み合わせで検出するようにしたが、他の方法で蓋４の回転と開閉を検出するようにしてもよい。
【００６１】
また、この実施の形態では、蓋４の回転と開閉をマグネットＭＧ１とリードスイッチＬＳ１，ＬＳ２とを組み合わせた１つのセンサで検出するようにしたが、別々のセンサで検出するようにしてもよく、蓋４が開けられた場合に液晶表示部２における計測値の表示方向を判断し、指定するようにしてもよい。
【００６２】
また、蓋４は、回転して開くのではなく、天地方向両開きタイプとし、天地方向どちらからでも開くことができるようにしてもよい。
【００６３】
また、蓋４の閉じ忘れ防止として、ある一定時間、リードスイッチＬＳ１，ＬＳ２がオフの場合、ステップＳ２０２，Ｓ２０３，Ｓ２０４の処理へと進み、液晶表示部２での表示は全て非表示に戻すようにしてもよい。
【００６４】
〔液晶表示部での表示構成の具体例〕
上述した実施の形態では、説明を簡単とするために、液晶表示部２での計測値の表示を３つの７セグメントＳＧ１，ＳＧ２，ＳＧ２から構成される７セグメント群ＭＳＧで行うものとしたが、また文字パターンＭＰ１およびＭＰ２を文字列「ｍ3」のみとしたが、実際にはさらに多様な構成とされる。図１０にその構成例を示す。
【００６５】
図１０において、計測値が表示される７セグメント群は、ＭＳＧ１とＭＳＧ２の２つとされている。７セグメント群ＭＳＧ１では、流量の積算値を表示し、７セグメント群ＭＳＧ２では、流量の瞬時値を表示する。
【００６６】
また、図１０において、第１の文字パターンＭＰ１は、絵文字ＧＭ１〜ＧＭ６と、単位文字ＵＭ１〜ＵＭ３と、符号文字ＳＭ１と、小数点文字ＰＭ１との組合せとされている。また、第２の文字パターンＭＰ２は、絵文字ＧＭ７〜ＧＭ１２と、単位文字ＵＭ４〜ＵＭ６と、符号文字ＳＭ２と、小数点文字ＰＭ１との組合せとされている。
【００６７】
文字パターンＭＰ１，ＭＰ２において、絵文字ＧＭ１，ＧＭ７は、流体が流れている時に点滅するパイロットを示す。絵文字ＭＧ２，ＭＧ８は、バッテリアラームであり、バッテリが少なくなったことを知らせる。絵文字ＭＧ３，ＭＧ９は、漏水アラームであり、漏水が生じたことを知らせる。絵文字ＭＧ４，ＭＧ１０は、過大水量アラームであり、過大な水量が流れていることを知らせる。絵文字ＭＧ５，ＭＧ１１は、非満水アラームであり、満水状態でないことを知らせる。絵文字ＭＧ６，ＭＧ１２は、逆流アラームであり、逆流が生じたことを知らせる。
【００６８】
文字パターンＭＰ１，ＭＰ２において、単位文字ＵＭ１，ＵＭ４は、７セグメント群ＭＳＧ１に表示される流量の積算値に対する単位を示し、単位文字ＵＭ２，ＵＭ５およびＵＭ３，ＵＭ６は、７セグメント群ＭＳＧ２に表示される流量の瞬時値に対する単位を示す。符号文字ＳＭ１，ＳＭ２は、７セグメント群ＭＳＧ２に表示される流量の瞬時値に対し、マイナス符号を表示する。小数点文字ＰＭ１，ＰＭ２は７セグメント群ＭＳＧ２に表示される流量の瞬時値に対し、その小数点の位置を表示する。
【００６９】
液晶表示部２の天方向を計測値の表示方向とした場合の表示状態を図１１に示す。この場合、第１の文字パターンＭＰ１中の絵文字や単位文字、符号文字、小数点文字が必要に応じて表示されると共に、７セグメント群ＭＳＧ１，ＭＳＧ２に計測値が正方向表示される。
【００７０】
液晶表示部２の天方向を計測値の表示方向とした場合の表示状態を図１２に示す。この場合、第２の文字パターンＭＰ２中の絵文字や単位文字、符号文字、小数点文字が必要に応じて表示されると共に、７セグメント群ＭＳＧ１，ＭＳＧ２に計測値が逆方向表示される。
【００７１】
なお、７セグメント群ＭＳＧ１において、その高さが低い３つの７セグメントは小数点以下の数値を表す。また、絵文字ＧＭ１，ＧＭ７のように、第１の文字パターンＭＰ１と第２の文字パターンＭＰ２とで共通に用いることが可能なものは、１つとしてよい。第１の文字パターンＭＰ１と第２の文字パターンＭＰ２とで、その中で表示する絵文字などをできるだけ共通化することで、液晶表示部２での表示面積を小さくすることができ、コストダウンを図ることができる。
【００７２】
図１３にこの液晶表示部２を備えた表示装置に対して蓋４を設けた場合の斜視図を示す。図１３（ａ）は、蓋４を天方向位置に位置させて開いた状態を示し、図１３（ｂ）は蓋４を地方向位置に位置させて開いた状態を示している。
【００７３】
この例では、液晶表示部２の天方向側および地方向側の対角線上の位置に、リードスイッチＬＳ１，ＬＳ２を設けている。このようなリードスイッチＬＳ１，ＬＳ２の配置とすることにより、図１４に示すように、リードスイッチＬＳ１を中心とする１８０゜の角度範囲を正方向表示の角度範囲とし、リードスイッチＬＳ２を中心とする１８０゜の角度範囲を逆方向表示の角度範囲とすることが可能となる。
【００７４】
なお、上述した実施の形態では、電磁流量計への搭載例として説明したが、プラントに配置される圧力計，温度計、水道やガスの配管に取り付けられる水道メータやガスメータなどに搭載してもよい。
【００７５】
また、上述した実施の形態では、７セグメント群に計測値を表示するようにしたが、表示する文字列は計測値に限られるものではない。例えば、搭載する装置を時計とし、文字セグメント群に時刻を表示するようにしてもよい。
【００７６】
また、上述した参考例では、７セグメント群に表示する文字列の天地方向を手動で切り替えるようにしたが、例えば壁掛け型の時計などのように壁に掛けて使用されるような装置に搭載する場合、重力センサなどの自動スイッチを設けて、７セグメント群に表示する文字列の天地方向を自動的に切り替えるようにしてもよい。
【００７７】
また、上述した実施の形態では、文字セグメントを７セグメントとしたが、７セグメントに限られるものではなく、アルファベットを表示することが可能な１６セグメントとするなどしてもよい。
【００７８】
７セグメントでは、１０種類の数字に加えて、いくつからのアルファベット文字を表示することが可能であるが、その数が限られている。１６セグメントとすれば、さらに表示する文字の種類を増やすことができ、計測値を表示する計器以外への適用範囲が広がる。
【００７９】
１６セグメントについては、例えば特許文献２にその詳細な内容が示されているので、ここでの説明は省略する。１６セグメントでも、天地方向を逆として、文字列を表示することが可能である。
【００８０】
また、上述した実施の形態では、表示部を液晶表示部としたが、発光ダイオード（ＬＥＤ）、冷陰極放電灯、蛍光表示管、白熱フィラメントなどを用いた表示部としてもよい。
【図面の簡単な説明】
【００８１】
【図１】本発明に係る表示装置の一実施の形態の説明に入る前の参考例を示す正面図である。
【図２】参考例の表示装置を搭載した電磁流量計の要部を示すブロック図である。
【図３】参考例の表示装置の制御部が実行する特有の処理動作を示すフローチャートである。
【図４】参考例の表示装置の液晶表示部に表示される計測値の表示例（正方向表示／逆方向表示の例）を示す図である。
【図５】この発明に係る表示装置の実施の形態を示す正面図（蓋を開けた状態）である。
【図６】この発明に係る表示装置の実施の形態を示す正面図（蓋を閉じた状態）である。
【図７】実施の形態の表示装置を搭載した電磁流量計の要部を示すブロック図である。
【図８】実施の形態の表示装置の制御部が実行する特有の処理動作を示すフローチャートである。
【図９】実施の形態の表示装置の液晶表示部に表示される計測値の表示例（正方向表示／逆方向表示の例）を示す図である。
【図１０】液晶表示部での表示構成の具体例を示す図である。
【図１１】図１０の表示構成例において液晶表示部の天方向を計測値の表示方向（正方向表示）とした場合の表示例を示す図である。
【図１２】図１０の表示構成例において液晶表示部の地方向を計測値の表示方向（逆方向表示）とした場合の表示例を示す図である。
【図１３】図１０に示した液晶表示部を備えた表示装置に対して蓋を設けた場合の斜視図である。
【図１４】液晶表示部の天方向側および地方向側の対角線上の位置にリードスイッチを配置した場合の正方向表示および逆方向表示の角度範囲を示す図である。
【図１５】特許文献１に示された従来のドットマトリックス方式の液晶表示部における表示方向の変更例を説明する図である。
【符号の説明】
【００８２】
１…ケース、２…液晶表示部、３…制御部、３−１…表示制御部、３−２…天地方向判断部、３−３…蓋開閉判断部、４…蓋、５…係合部、ＳＷ１…第１の押しボタンスイッチ（第１のスイッチ）、ＳＷ２…第２の押しボタンスイッチ（第２のスイッチ）、ＳＧ１〜ＳＧ３…７セグメント、ｓｇ１〜ｓｇ７…セグメント、ＭＳＧ…７セグメント群、ＭＰ１…第１の文字パターン、ＭＰ１…第２の文字パターン、ＬＳ１，ＬＳ２…リードスイッチ、ＭＧ１…マグネット、ＭＳＧ１，ＭＳＧ２…７セグメント群、ＧＭ１〜ＧＭ１２…絵文字と、ＵＭ１〜ＵＭ６…単位文字、ＳＭ１，ＳＭ２…符号文字、ＰＭ１，ＰＭ２…小数点文字、１００，１０１…表示装置、２００，２０１…電磁流量計。
【図１】
0005057935.tif 000002
【図２】
0005057935.tif 000003
【図３】
0005057935.tif 000004
【図４】
0005057935.tif 000005
【図５】
0005057935.tif 000006
【図６】
0005057935.tif 000007
【図７】
0005057935.tif 000008
【図８】
0005057935.tif 000009
【図９】
0005057935.tif 000010
【図１０】
0005057935.tif 000011
【図１１】
0005057935.tif 000012
【図１２】
0005057935.tif 000013
【図１３】
0005057935.tif 000014
【図１４】
0005057935.tif 000015
【図１５】
0005057935.tif 000016